(57)【要約】      （修正有）【課題】コネクタを基板に容易に着脱できる端子接続構造を提供する。【解決手段】コネクタ１は、ハウジング２の左右の両側面にロックアーム４を備えている。各ロックアーム４は、下端部に被係止部４１を備えている。バスバー基板５は、コネクタ端子３の挿入される一対の端子挿入孔６と、各端子挿入孔６に挿入されたコネクタ端子３に接続する基板端子７と、ロックアーム４の挿入される一対の係止孔８とを備えている。基板端子７は、コネクタ端子３に側方から接続する一対の接続部７１と、両接続部７１を結ぶ連絡部７２とを備えている。係止孔８は、ロックアーム４の挿入される挿入孔８１と、挿入孔８１から前方に延びる固定孔８２とを備えている。挿入孔８１の前方に位置して固定孔８２に沿って前方に延びるバスバー基板５は、係止片８３を構成している。係止片８３は、挿入孔８１から固定孔８２に進入したロックアーム４の被係止部４１に係止する。【選択図】図１
2009110909.tif 000002
【特許請求の範囲】
【請求項１】
コネクタの備えるコネクタ端子と基板の備える基板端子とを接続する端子接続構造であって、
前記コネクタ端子は、前記基板側に向けて突出して前記基板の端子挿入孔に挿入され、
前記基板端子は、前記基板に形成され、
前記端子挿入孔は、前記コネクタと前記基板間において仮係止する仮係止位置と前記コネクタ端子が前記基板端子と接触した本係止位置との間で、前記コネクタ端子が前記端子挿入孔内を移動できる構成を有しており、
前記コネクタ端子を本係止位置に位置させた前記コネクタを、前記基板に係止して前記基板からの離脱を規制する係止手段を備えることを特徴とする端子接続構造。
【請求項２】
前記基板端子は、仮係止位置から本係止位置にかけての前記コネクタ端子の移動方向に沿って延びる前記端子挿入孔の向かい合う一対の内側面から、前記基板上にかけて形成されていることを特徴とする請求項１に記載の端子接続構造。
【発明の詳細な説明】
【技術分野】
【０００１】
本発明は、コネクタの備えるコネクタ端子と基板の備える基板端子とを接続する端子接続構造に関する。
【背景技術】
【０００２】
従来、この種の接続構造としては、下記の特許文献１に記載の端子接続構造が開示されている。この端子接続構造は、電子部品の接続端子とバスバーの部品側接続端子とを接続する構造である。部品側接続端子の先端部には、接続端子と接合される接合予定面の反対面に位置する接合予定部が備えられている。接合予定部は、部品側接続端子の先端部から所定の長さ範囲に形成されており、接合予定面の反対面を中心側に後退させた形状を有している。部品側接続端子と接続端子とは、互いの先端同士を接触させて並んだ状態で、先端の略中心位置にレーザーを照射され、両接続端子の先端が溶融することにより接合されている。
【０００３】
【特許文献１】特開２００６−３０２５４３号公報
【発明の開示】
【発明が解決しようとする課題】
【０００４】
上記従来の接続構造では、接続端子の先端と部品側接続端子の先端とを、レーザーで溶融させて接合していることから、両端子同士が一旦接続されると、端子同士の接続を解いて電子部品をバスバーから取り外すのが容易でなかった。
【０００５】
本発明は、上記した点に鑑み、基板に対するコネクタの着脱を容易に行うことができる端子接続構造を提供することを目的とする。
【課題を解決するための手段】
【０００６】
このような目的を達成するために、本発明の端子接続構造は、コネクタの備えるコネクタ端子と基板の備える基板端子とを接続する端子接続構造であって、前記コネクタ端子が、前記基板側に向けて突出して前記基板の端子挿入孔に挿入され、前記基板端子が、前記基板に形成され、前記端子挿入孔が、前記コネクタと前記基板間において仮係止する仮係止位置と前記コネクタ端子が前記基板端子と接触した本係止位置との間で、前記コネクタ端子が前記端子挿入孔内を移動できる構成を有しており、前記コネクタ端子を本係止位置に位置させた前記コネクタを、前記基板に係止して前記基板からの離脱を規制する係止手段を備えることを特徴とする。
また、本発明は、前記基板端子が、仮係止位置から本係止位置にかけての前記コネクタ端子の移動方向に沿って延びる前記端子挿入孔の向かい合う一対の内側面から、前記基板上にかけて形成されていることを特徴とする。
【発明の効果】
【０００７】
本発明によれば、係止部によるアームの係止を解いてコネクタを基板から取り外せることから、コネクタを着脱自在に基板に取り付けられる端子接続構造を提供することができる。
【発明を実施するための最良の形態】
【０００８】
以下、図面を参照して、本発明の最良の形態を説明する。図１は、本実施形態のコネクタ１と、コネクタ１の取り付けられるバスバー基板５とを示す上方からの斜視図である。図２は、バスバー基板５の構成の詳細を説明する図であり、（ａ）はバスバー基板５の右側部の拡大平面図，（ｂ）は（ａ）のＡ−Ａ線断面図である。なお、以下の説明で用いる上下，前後，左右の各方向は説明に用いる各図に示している。この上下，前後，左右は説明のために記載したもので、実際の配置と異なってよいことはもちろんである。
【０００９】
図１に示すように、コネクタ１は、四角箱状のハウジング２と、ハウジング２から外部を臨む複数（本実施形態では２つ）のコネクタ端子３と、ハウジング２をバスバー基板５に固定するロックアーム４とを備えて構成されている。コネクタ端子３は、ハウジング２の内部に備えられたキャビティに収納されて、先端接続部をハウジング２の外部に臨ませている。
【００１０】
各ロックアーム４は、ハウジング２の左右の両側面にそれぞれ備えられており、略四角ブロック状を呈して下方に向けて延びている。各ロックアーム４の下端部には、ロックアーム４の左側又は右側の外面から外方に向けて突出した被係止部４１が設けられている。被係止部４１は、ロックアーム４の前後の幅方向の両側に亘って形成されており、略四角ブロック状を呈している。被係止部４１は、上面をハウジング２の下面とほぼ平行に延出させ、下面を内側から外側にかけて上昇傾斜させている。ロックアーム４は、下端面を被係止部４１の下面と連ならせて、被係止部４１の下面と等しい角度で内側から外側にかけて上昇傾斜させている。
【００１１】
コネクタ１の接続されるバスバー基板５は、図１に示すように、コネクタ端子３の挿入される一対の端子挿入孔６と、各端子挿入孔６に挿入されたコネクタ端子３に接続される基板端子７と、コネクタ１のロックアーム４の挿入される一対の係止孔８とを備えている。
【００１２】
図２に拡大して示すように、端子挿入孔６は、バスバー基板５を上面から下面にかけて貫通しており、略矩形の開口形状を有している。基板端子７は、コネクタ端子３を側方から挟み込んでコネクタ端子３に接続される一対の接続部７１と、両接続部７１同士を結ぶ連絡部７２とを備えて構成されており、バスバー基板５上の配線７３と共にバスバー基板５に印刷されて形成されている。
【００１３】
各接続部７１は、端子挿入孔６の左右の両側に形成されており、略矩形の平面形状を呈している。各接続部７１は、端子挿入孔６の側壁の高さ方向の中央部からバスバー基板５の上面にかけてまでを覆っており、端子挿入孔６の後端部の前端寄りから端子挿入孔６の前端まで延びている。各接続部７１の後縁位置は、後述する係止孔８の挿入孔８１にロックアーム４を挿入させたコネクタ１のコネクタ端子３との接触を避けつつ、挿入孔８１から固定孔８２にロックアーム４を進入させたコネクタ１のコネクタ端子３と接触する位置に設定されている。端子挿入孔６の側壁とバスバー基板５の上面との角部に位置する各接続部７１は、向かい合う接続部７１の上方に向けて、上面を傾斜させている。連絡部７２は、端子挿入孔６の前側のバスバー基板５の上面に形成されており、両接続部７１の前端部に連結されている。連絡部７２は、矩形の平面形状を呈してバスバー基板５の上面を覆っており、左右の幅方向の中央部には配線７３が接続されている。
【００１４】
図２に示すように、係止孔８は、ロックアーム４の挿入される挿入孔８１と、挿入孔８１の前縁から前方に延びる固定孔８２とから構成されている。挿入孔８１は、被係止部４１の形成されたロックアーム４の下端部の横断面よりもやや大きな略矩形の開口形状を有している。図１に示すように、バスバー基板５の左側に位置する固定孔８２は、挿入孔８１の右側部から前方に向けて延びている。また、バスバー基板５の右側に位置する固定孔８２は、挿入孔８１の左側部から前方に向けて延びている。各固定孔８２は、被係止部４１の形成位置よりも上方に位置するロックアーム４の横断面とほぼ等しい左右方向の幅を有している。図２に拡大して示すように、挿入孔８１の前方に位置して固定孔８２に沿って前方に延びるバスバー基板５は、係止片８３を構成している。係止片８３は、挿入孔８１から進入してきたロックアーム４が備える被係止部４１の上面にその下面を係止させて、コネクタ１をバスバー基板５に固定する。
【００１５】
次に、コネクタ１をバスバー基板５に取り付けてコネクタ端子３と基板端子７とを接続する際の動作について説明する。図３〜図５は、コネクタ１をバスバー基板５に取り付ける手順を説明する斜視図である。図３は挿入孔８１へのロックアーム４の挿入前，図４は挿入孔８１にロックアーム４を挿入した状態，図５は固定孔８２にロックアーム４を進入させた状態を示す図である。
【００１６】
コネクタ１をバスバー基板５に取り付ける場合には、まず、図３に示すように、バスバー基板５の係止孔８が備える挿入孔８１の上方に、コネクタ１の各ロックアーム４を位置させ、同図に矢印で示すように各ロックアーム４を挿入孔８１に挿入する。これにより、図４に示すように、各ロックアーム４の被係止部４１（図３参照）が、バスバー基板５の上面側から挿入孔８１内に進入し、バスバー基板５の下面側から下方に突出する。これに伴い、コネクタ１の下端面から下方に突出したコネクタ端子３（図３参照）は、バスバー基板５の上面側から端子挿入孔６に挿入される。このようにして、コネクタ１がバスバー基板５に仮係止される。
【００１７】
次いで、図４に示す仮係止位置に位置したコネクタ１を、図４に矢印で示すように、バスバー基板５の前方に移動させると、図５に示すように、コネクタ１の備える各ロックアーム４が、挿入孔８１から固定孔８２に進入し、各被係止部４１とハウジング２との間にバスバー基板５が挟みこまれる。一方、コネクタ端子３は、コネクタ１の移動に伴い端子挿入孔６内を前方に移動し、各ロックアーム４が固定孔８２に進入すると、端子挿入孔６の内壁に位置する基板端子７の接続部７１に側面を接触させる。その後、コネクタ端子３は、左右の両側面を一対の接続部７１に摺接させながら、端子挿入孔６内を移動する。
【００１８】
そして、各ロックアーム４の前端面が係止孔８の固定孔８２の前側面に当接するまでコネクタ１がバスバー基板５の前方に移動すると、コネクタ端子３の前端面が端子挿入孔６の前側面に当接し、コネクタ１の取付作業が終了する。このようにしてバスバー基板５に取り付けられて本係止位置に位置したコネクタ１は、各ロックアーム４の備える被係止部４１の上面を係止片８３の下面に係止され、各被係止部４１の上面とハウジング２の下面とでバスバー基板５を挟み込んでいる。また、固定孔８２の前側壁及び左右の両側壁に、各ロックアーム４の前側面及び左右の側面が支持されている。また、コネクタ端子３が、前側面及び左右の両側面を、端子挿入孔６の前側面及び左右の両側面に接触させている。このようにして、バスバー基板５に対するコネクタ１の位置決め、及び、コネクタ端子３と基板端子７との接続がなされている。なお、本係止位置に位置したコネクタ１は、コネクタ端子３と基板端子７とが接触しているのであれば、ロックアーム４の前端面を固定孔８２の前側面に当接させ、コネクタ端子３の前端面を端子挿入孔６の前側面に当接させている必要は必ずしもない。
【００１９】
上記実施形態によれば、ロックアーム４を挿入孔８１に挿入した後に、コネクタ１を前方に移動させて固定孔８２にロックアーム４を進入させることにより、コネクタ端子３と基板端子７とを接続すると共に、被係止部４１に係止片８３を係止させて、コネクタ１をバスバー基板５に固定することができる。また、バスバー基板５に固定されたコネクタ１を後方に移動させて、係止片８３への被係止部４１の係止を解いた後、ロックアーム４を挿入孔８１から引き抜くことにより、コネクタ１をバスバー基板５から取り外すことができる。従って、バスバー基板５に対するコネクタ１の着脱を容易に行うことができる。
【００２０】
しかも、固定孔８２に係止された被係止部４１とコネクタ１の下端部とにバスバー基板５が挟み込まれることから、コネクタ１をバスバー基板５に強固に固定することができる。従って、バスバー基板５に対するコネクタ１の位置ずれや姿勢の変更に伴いコネクタ端子３と基板端子７との接触状態に生じる変化を抑えることができる。この結果、コネクタ端子３と基板端子７との電気的接続の信頼性を高めることができる。また、コネクタ端子３が、左右の両側面を一対の接続部７１に摺接させながら、端子挿入孔６内を移動することから、コネクタ端子３を接続部７１に確実に接触させることができ、両者の電気的接続の信頼性を確保することができる。
【００２１】
また、上記実施形態によれば、挿入孔８１から固定孔８２にコネクタ１のロックアーム４を進入させると、コネクタ端子３と基板端子７とが接触して互いが接続されることから、ロックアーム４を挿入孔８１に挿入したまま固定孔８２に移動させずにコネクタ１の取付作業が終えられた際には両コネクタ端子３同士が接続されない。従って、ロックアーム４を挿入孔８１に挿入したまま固定孔８２に移動させずにコネクタ１の取付作業が終えられるのを防止することができる。この結果、コネクタ端子３と基板端子７との電気的接続の信頼性をより高めることができる。
【００２２】
上記実施形態の説明では、端子挿入孔６の内壁の高さ方向の中央部から端子挿入孔６の周縁に位置するバスバー基板５の上面にかけて、基板端子７の接続部７１が設けられている場合について説明した。しかしながら、端子挿入孔６の内壁の下端からバスバー基板５の上面にかけてや、端子挿入孔６の内壁のみに接続部７１が設けられている構成としてもよい。また、基板端子７は、端子挿入孔６の周縁の一部のみに形成されている必要はなく、例えば、端子挿入孔６の全周に亘って形成されていてもよい。
【００２３】
上記実施形態の説明では、バスバー基板５の上面側からコネクタ１を接続する場合について説明した。しかしながら、下面側からもコネクタ１を接続できる構成としてもよい。この場合、端子挿入孔６の内壁から端子挿入孔６の周縁に位置するバスバー基板５の上面及び下面にまで接続部７１が延設されている構成としてもよい。また、係止孔８は、バスバー基板５の上下の両主面を貫通してる構成に限らず、例えば、バスバー基板５の一主面に開口する凹部から構成されていてもよい。また、端子挿入孔６は、バスバー基板５の上下の両主面を貫通してる構成に限らず、例えば、バスバー基板５の一主面に開口する凹部から構成されていてもよい。また、係止孔８が、バスバー基板５の両主面を貫通する構成の場合には、固定孔８２の左右の両内壁に、バスバー基板５の延伸方向に沿って延びる凹溝を設け、この凹溝にロックアーム４の被係止部４１が収容される構成としてもよい。
【００２４】
また、バスバー基板５が備える端子挿入孔６や基板端子７の数量は、基板端子７と接続されるコネクタ端子３の数量に応じて適宜変更して差し支えない。また、係止孔８の数量も、コネクタ１が備えるロックアーム４の数量に応じて適宜変更して差し支えない。また、コネクタ１の備えるロックアーム４の数量は、コネクタ１やバスバー基板５の形状に応じて適宜変更して差し支えない。また、ロックアーム４が備える被係止部４１の数量や形状も、上記実施形態での構成に限られず、任意である。
【００２５】
また、ロックアーム４の内面に被係止部４１が設けられており、バスバー基板５の左側に位置する固定孔８２が挿入孔８１の左側部から、右側に位置する固定孔８２が挿入孔８１の右側部から、それぞれ前方に向けて延びている構成としてもよい。また、上記実施形態では、バスバー基板５を基板として本発明を適用した場合について説明したが、他の基板の基板端子とコネクタ端子との接続にも、本発明は適用することができる。
【図面の簡単な説明】
【００２６】
【図１】本発明の一実施形態のコネクタと、コネクタの取り付けられるバスバー基板とを示す上方からの斜視図である。
【図２】バスバーの構成の詳細を説明する図であり、（ａ）は平面図，（ｂ）は（ａ）のＡ−Ａ線断面図である。
【図３】コネクタをバスバー基板に取り付ける際の手順を説明する斜視図であり、挿入孔へのロックアームの挿入前の状態を示す図である。
【図４】コネクタをバスバー基板に取り付ける際の手順を説明する斜視図であり、挿入孔にロックアームを挿入した状態を示す図である。
【図５】コネクタをバスバー基板に取り付ける際の手順を説明する斜視図であり、固定孔にロックアームを進入させた状態を示す図である。
【符号の説明】
【００２７】
１                コネクタ
２                ハウジング
３                コネクタ端子
４                ロックアーム
４１              被係止部（係止手段）
５                バスバー基板
６                端子挿入孔
７                基板端子
７１              接続部
７２              連絡部
８                係止孔
８１              挿入孔
８２              固定孔
８３              係止片（係止手段）
【図１】
2009110909.tif 000003
【図２】
2009110909.tif 000004
【図３】
2009110909.tif 000005
【図４】
2009110909.tif 000006
【図５】
2009110909.tif 000007